(57)【要約】【課題】  電極や指センサ等を必要とせず、家庭や旅先や老人ホーム等で簡易に扱えるような、睡眠時無呼吸症の覚醒装置を提供する。【解決手段】  鼻の穴付近にまたは口の前に取り付ける呼吸センシング手段と、身体に取り付ける振動発生手段とを備えると共に、前記呼吸センシング手段からの信号を監視して、所定時間呼吸が不規則になったり停止した場合に、前記振動発生手段をＯＮ状態にする制御装置を備える。【選択図】  図１
2005349167.tif 000002
【特許請求の範囲】
【請求項１】
鼻の穴付近にまたは口の前に取り付ける呼吸センシング手段と身体に取り付ける振動発生手段とを備えると共に、前記呼吸センシング手段からの信号を監視して、所定時間呼吸が不規則になったり停止した場合に、前記振動発生手段をＯＮ状態にする制御装置を備えていることを特徴とする、無呼吸時覚醒装置。
【請求項２】
鼻の下を渡すシリコン製等のバンドの両側に耳に掛ける掛止部材が設けられており、前記バンドの鼻の下の部位に呼吸センシング手段が、鼻の呼気または吸気を受け得るように設けられている、請求項１に記載の無呼吸時覚醒装置。
【請求項３】
口の前に渡すシリコン製等のバンドの両側に耳に掛ける掛止部材が設けられており、前記バンドの口の前の部位に呼吸センシング手段が、口の呼気または吸気を受け得るように設けられている、請求項１に記載の無呼吸時覚醒装置。
【請求項４】
口に掛けるマスクの空気流通部に呼吸センシング手段が設けられていると共にこのマスクの一部に振動発生手段が設けられている、請求項１に記載の無呼吸時覚醒装置。
【請求項５】
前記呼吸センシング手段は、呼気または吸気に晒されるように設けられた揺動板と、この揺動板に光路が掛かると共に揺動板の揺動により光路が断続的に遮られるように設けられた発光器と受光器と、から構成されている、請求項１に記載の無呼吸時覚醒装置。
【請求項６】
前記振動発生手段は、顎を通って前記掛止部材間に架け渡されたバンドの途中に設けられている、請求項１に記載の無呼吸時覚醒装置。
【請求項７】
前記振動発生手段は、前記掛止部材に設けられているものである、請求項１に記載の無呼吸時覚醒装置。
【請求項８】
前記振動発生手段は、モータとこの回転軸に取り付けられた偏心重錘とからなるものである、請求項１に記載の無呼吸時覚醒装置。
【請求項９】
前記制御装置は、前記振動発生手段がＯＮ状態になった後の設定時間内に前記振動発生手段がＯＦＦ状態にならない場合に、前記振動発生手段の振動発生強度を高めるように制御するものである、請求項１に記載の無呼吸時覚醒装置。
【請求項１０】
更に発音手段を備えており、前記制御装置は、前記振動発生手段がＯＮ状態になった後の設定時間内に前記振動発生手段がＯＦＦ状態にならない場合に、前記発音手段をＯＮ状態にするものである、請求項１に記載の無呼吸時覚醒装置。
【請求項１１】
前記制御装置は、各種設定時間を設定可能にするためのタイマ−設定部を備えている、請求項９または請求項１０に記載の無呼吸時覚醒装置。
【発明の詳細な説明】
【技術分野】
【０００１】  この発明は、睡眠中の呼吸の状態を監視して、呼吸が不規則になったり停止した場合にユーザー本人に通知する、主に個人的な使用を目的とした無呼吸時覚醒装置に関するものである。
【背景技術】
【０００２】  近年、睡眠時無呼吸症と呼ばれる症状がクローズアップされている。呼吸障害の一種である睡眠時無呼吸症は成人男性の突然死の原因になるなどの問題が指摘されており、早期の発見と適切な治療が必要である。従って先ずは病院への入院による検査が推奨されている。【０００３】  この検査を目的としたものとして特開平０５−２０００３１号の「睡眠無呼吸症候群の通院認知及び診断のために患者の生理学的パラメータを検出しかつ記憶するための移動装置」が開示されている。このものは検出・記憶ユニット、３個のＥＫＧ電極と喉頭マイクロホンとオキシメーター指センサから成るトランスジューサ、体位検出器から構成されている。これにより呼吸回数や呼吸周期を測定して各種のデータを取得して、患者が無呼吸状態にあるか否かを判定することが出来る。
【特許文献１】特開平０５−２０００３１号公報
【発明の開示】
【発明が解決しようとする課題】
【０００４】  確かにこの装置は比較的小型に構成され入院後検査を不要とするかも知れないが、３個のＥＫＧ電極やオキシメーター指センサなどを必要とするため、個人的に使用するにはまだまだ大掛かりである。【０００５】  従ってこの発明の目的は、個人的に簡易に扱えるような睡眠時無呼吸症の感知装置を提供しようとするものである。
【課題を解決するための手段】
【０００６】  当発明者による鋭意研究の結果、家庭では一緒に寝ている者同士が相手の就寝状態を把握していることが多く、相手の呼吸異常に目が覚めてしまうことがあるが、相手の呼吸が尋常でない場合には声を掛けたり体を揺り動かして覚醒させようとするなどの行動を取ることが行なわれている事実に着目して、無呼吸の状態を自動的に感知してユーザーを覚醒させるように動作する睡眠時無呼吸症の覚醒装置とすればよい、と言う知見を得た。【０００７】  すなわち上記課題は、鼻の穴付近にまたは口の前に取り付ける呼吸センシング手段と、身体に取り付ける振動発生手段とを備えると共に、前記呼吸センシング手段からの信号を監視して、所定時間呼吸が不規則になったり停止した場合に、前記振動発生手段をＯＮ状態にする制御装置を備えている無呼吸時覚醒装置とすることにより達成される。なお制御装置は電池駆動とすることが望ましく、また呼吸回数や呼吸周期を測定して無呼吸状態にあるか否かを判定するに当たっては前記呼吸センシング手段からの信号が安定したことを先ず判断してから行なうものであることが望ましい。【０００８】  この発明の無呼吸時覚醒装置はその全体が身体装着型であって、上述した特開平０５−２０００３１号の移動装置のようにＥＫＧ電極や指センサなどのセンサ部分のみ身体に取り付けて本体部を別に設置するものとは異なっている。【０００９】  呼吸センシング手段は鼻の穴付近や口の前に取り付けられて呼吸の流れを感知する。従ってＥＫＧ電極や指センサなどの装着を必要としないため、取り扱いが素人にも容易である。なお鼻の下を渡すシリコン製等のバンドの両側に耳に掛ける掛止部材が設けられており、前記バンドの鼻の下の部位に呼吸センシング手段が、鼻の呼気または吸気を受け得るように設けられているものとすることが出来る。これは鼻の下の部位にあって、鼻呼吸を感知するものである。また口の前に渡すシリコン製等のバンドの両側に耳に掛ける掛止部材が設けられており、前記バンドの鼻の下の部位に呼吸センシング手段が、口の呼気または吸気を受け得るように設けられているものとすることが出来る。すなわちこれは口の前の部位にあって口呼吸を感知するものである。そして制御装置は上述した呼吸センシング手段からの信号を監視し無呼吸を感知して振動発生手段をＯＮ状態にする。【００１０】  また口に掛けるマスクの空気流通部に呼吸センシング手段が設けられていると共に、このマスクの一部に振動発生手段が設けられているものとすることが出来る。すなわち呼吸センシング手段と振動発生手段とが一つのマスクにまとまって納められていることになり、このマスクを口に掛けるだけで呼吸の測定が出来るから、大変に便利なものである。またこれは鼻呼吸を感知し得るものであるのと同時に、口呼吸を感知し得るものである。平面状のマスクであればマスクの通気を感知することが出来る。或いはカップ形状のマスクであれば通気部での通気やカップ内の気流を感知することが出来る。従って患者が鼻呼吸をしていようが、口呼吸をしていようが、はたまた両方で呼吸をしていようが、これを確実に感知することが出来る。鼻が詰まっているような時でも口呼吸を感知することが出来るのである。そして制御装置は上��の呼吸センシング手段からの信号を監視し、無呼吸を感知して振動発生手段をＯＮ状態にするのである。【００１１】  睡眠時無呼吸症は呼吸器に係る問題であるから、就寝中にハウスダストなどの塵や空気中に浮遊している細菌等を吸い込むことは極力避けるようにすることが好ましい。この点でマスクをこの発明の構成に利用することは大変有利である。すなわちこのマスクは無呼吸の状態を自動的に感知してユーザーを覚醒させるだけでなく、睡眠中に塵や細菌等が口や鼻から体内へ侵入する危険を減らすことが出来ると言う効果を奏するのである。【００１２】  なお呼吸センシング手段は、呼気または吸気に晒されるように設けられた揺動板と、この揺動板に光路が掛かると共に揺動板の揺動により光路が断続的に遮られるように設けられた発光器と受光器と、から構成されているものとすることが出来る。揺動板は空気流通部に置かれて、通気に伴なって揺動するものである。従って例えばＬＥＤ（Ｌｉｇｈｔ  Ｅｍｉｔｔｅｄ  Ｄｉｏｄｅ）発光器やレーザー発光器から出た光がフォトダイオードなどの受光器に入るその光路に揺動板があれば揺動板が揺動して光を遮ったり通したりするから、受光器の出力信号を監視することによって呼吸を測定することが出来るのである。【００１３】  さて上述した振動発生手段がＯＮ状態になると、振動が発生してアラームとなり、睡眠を妨害して睡眠者を覚醒させる。これによって異常だった呼吸が正常な状態に戻るきっかけとなるのである。このように早めに覚醒させることで無呼吸状態の持続と深化とを阻止して、呼吸が戻る際の驚愕的血圧変化などを防ぐのである。【００１４】  なお前記振動発生手段は、顎を通って前記掛止部材間に架け渡されたバンドの途中に設けられているものとすることが出来る。これによれば下顎骨に対し振動を与えることになる。また前記振動発生手段は、前記掛止部材に設けられているものとすることが出来る。例えば振動発生手段が耳タブの後の骨や、耳の下の顎の付け根の骨に当たるようにするのである。いわゆる骨伝導によってアラームを直接頭蓋骨に加える。また請求項４のマスクのように、振動発生手段を内蔵する構成も可能であり、口やその周辺部分に直接的に振動を加える。振動発生手段はマスクの顎に当たる部位かその近傍に設けるようにすると良い。さてこのような振動発生手段としては、ブザーのような往復振動系のものや、モータとこの回転軸に取り付けられた偏心重錘とからなる回転振動系のものなどがあるが、後者のものが比較的安価に容易に構成可能である。【００１５】  この他、前記制御装置は、前記振動発生手段がＯＮ状態になった後の設定時間内に前記振動発生手段がＯＦＦ状態にならない場合に、前記振動発生手段の振動発生強度を高めるように制御するものであるものとしてもよい。振動発生手段をＯＦＦ状態にするのは、この無呼吸時覚醒装置が装着されたユーザーであるが、覚醒して初めて振動発生手段をＯＦＦ状態にすることが出来るわけであるから、覚醒して来ないようであれば、振動発生手段の振動発生強度を高めて行き、何としてでも覚醒させるようにするのである。これに加えて発音手段を備えており、制御装置は前記振動発生手段がＯＮ状態になった後の設定時間内に前記振動発生手段がＯＦＦ状態にならない場合に前記発音手段をＯＮ状態にするものとしてもよい。これはすなわちなかなか覚醒して来ない場合に、発音手段からの音声によっても覚醒させようとするものである。また近くに家人が寝ている場合にはこの家人を起こして事態に対処してもらうことが出来る。【００１６】  なお前記制御装置は、上述した各種設定時間を設定可能にするためのタイマー設定部を備えているものとしてもよい。これは例えば２０秒間呼吸が不規則になったり停止した場合に前記振動発生手段をＯＮ状態にする、また振動発生手段がＯＮ状態になった後の１０秒以内に振動発生手段がＯＦＦ状態にならない場合に振動発生強度を高める、などとする設定を行ない得るようにするのである。
【発明の効果】
【００１７】  この発明の睡眠時無呼吸症の感知装置は呼吸が不規則になったり停止した場合には振動発生手段をＯＮ状態にし、身体に振動を与えて覚醒させるようにするものである。また装置はコンパクトに構成することが可能であり、呼吸センシング手段は鼻の穴付近にまたは口の前に容易に取り付けることが出来、家庭や旅先や老人ホームなどで簡易に扱えるものとなっている。
【発明を実施するための最良の形態】
【００１８】  第１実施形態
図１乃至図４はこの発明の第１実施形態を表わし、この睡眠時無呼吸症の感知装置は、鼻の穴付近に取り付ける呼吸センシング手段と、耳の下の顎の骨に取り付ける振動発生手段とを備えるものである。すなわち鼻の下を渡すシリコン製の鼻下バンド１の左右両側に掛止部材である耳掛け部１１が設けられており、その耳掛け部１１には耳孔１２が開孔されている。また鼻下バンド１の中央部の表側面の鼻口の下に相当する部位には摺鉢状の溝部１０が設けられており、この底部に湿度センサ２が装着されている。また前記鼻下バンド１には通し孔１３が開孔されており、この左右の通し孔１３に顎当てバンド３が通されて固定され、このバンド３の向かって右側に振動ボックス４が設けられている（図１）。なお符号４０はこの振動ボックス４の電源スイッチである。【００１９】  前記シリコン製の鼻下バンド１の溝部１０に関して、溝部１０は摺鉢状を呈するものであって、その底部に湿度センサ２が装着されている（図２）。この部位を摺鉢状とした理由は矢印Ａのような呼吸の気流が生ずると、この摺鉢状の溝部１０があることによって、この溝部１０の中に矢印Ｂのように支流が吹き込んで呼吸による湿気をもたらす。従ってこの溝部１０の底部に設けた湿度センサ２がこの支流の湿度を感知するのである。【００２０】  次に前記振動ボックス４に関して図３のブロック図を用いて説明する。センサ回路５０には前記湿度センサ２が図示しないリード線にて配線されている。このセンサ回路５０はタイマ５１や後述する振動発生部５２と共に制御部５に接続されており、またこの各々に電源部５３から電力が供給されている。前記振動発生部５２は、その内部構成を図示しないが、モータとこの回転軸に取り付けられた偏心重錘とから成るものであり、モータの回転によって回転される偏心重錘からバイブレーションを発生するものである。【００２１】  さて上述したシリコン製の鼻下バンド１をその左右両側の耳掛け部１１の耳孔１２にて両耳に掛け、顎当てバンド３を顎に掛け渡して、振動ボックス４を左側の顎の骨に当てるようにして装着する。これによって湿度センサ２が設けられた溝部１０がちょうど鼻の穴の下側に位置することになる。そこで振動ボックス４の電源スイッチ４０をＯＮ状態にすると、制御部５が湿度センサ２によって呼吸を感知して呼吸回数や呼吸周期を測定し、センサ回路５０からの信号が安定したことを判断してから、無呼吸状態になっているか否かの監視に入る。【００２２】  すなわち図４で表わされているように、制御部５は湿度センサ２による監視を開始し（ステップＳ１）、呼吸が停止したか否かを判定し（ステップＳ２）、ここで停止と判断した場合にはタイマー５１を作動させ、ここでは１５秒間と言う設定時間が経過したか否かを判定し（ステップＳ３）ここで経過したと判断した場合には振動発生部５２を作動させてバイブレータを振動させるようにするのである（ステップＳ４）。この振動は振動ボックス４の筐体を介して顎の骨に直接伝わるので、ここで覚醒したユーザーは電源スイッチ４０を一旦ＯＦＦ状態にするようにするが、この一連の動作により無呼吸状態の持続と深化が回避される。そして再度の就寝に際しては電源スイッチ４０をＯＮ状態にする���これによって制御部５が再び湿度センサ２による監視を開始するのである。【００２３】  なお前記振動ボックス４の取り付け位置を例えば耳掛け部１１の裏側として、あたかも耳掛け式補聴器の如く取り付け得るように構成することも可能である。この場合には顎当てバンド３を不要とする構成が可能である。なおまた前記制御部５がステップＳ４の後の例えば１５秒以内に電源スイッチ４０がＯＦＦ状態にならないような場合には、振動ボックス４の振動発生強度を徐々にあるいは急激に高めるように制御する設定も可能である。【００２４】  第２実施形態
図５及び図６はこの発明の第２実施形態を表わし、この睡眠時無呼吸症の感知装置は口の前に取り付ける呼吸センシング手段と、顎の下に取り付ける振動発生手段とを備えるものである。口の前に渡すシリコン製の口前ベルト６の左右両側には耳掛け部６１が設けられており、この耳掛け部６１には耳孔６２が開孔されている。また口前ベルト６の中央部には内部を図示しない風圧センサ７が納められており、口前ベルト６には通気孔６０が開孔されている。また耳掛け部６１に通し孔６３が開孔されており、この左右の通し孔６３に顎当てバンド３０が通されて固定され、この顎当てバンド３０の中央部分に振動ボックス８が設けられている。なお符号８０はこの振動ボックス８の電源スイッチであり、また符号８１は後述のモード切替えスイッチであり、符号８２は時間設定兼音量調節ダイヤルであり、符号８３はブザー音孔である。（図５）【００２５】  前記シリコン製の口前ベルト６には通気孔６０が開孔されているため、呼吸気はこの通気孔６０を通過することになる。するとここには風圧センサ７が納められているため、風圧によって呼吸の変化を感知することが出来るのである。【００２６】  次に前記振動ボックス８に関して図６のブロック図を用いて説明する。センサ回路５４には前記風圧センサ７が図示しないリード線にて配線されている。このセンサ回路５４はタイマ５１や振動発生部５２や記憶回路５５や発音回路５６と共に制御部５に接続されており、またこの各々に電源部５３から電力が供給されている。前記振動発生部５２はその内部構成を図示しないが、モータとこの回転軸に取り付けられた偏心重錘とから成るものである。また発音回路５６はここではブザーとした。また記憶回路５５は、制御部５による各部の制御記録を残しておくためのものであり言わばタイムレコーダーであり、後々必要に応じて図示しない入出力回路部の入出力端子よりパーソナルコンピュータにデータを送り出すことが出来るようになっており、無呼吸に入った時間や持続時間や回復の時間などを後から検証することが可能である。【００２７】  振動ボックス８のモード切替えスイッチ８１は、向かって右側にスライドさせた時には、時間設定兼音量調節ダイヤル８２を発音回路５６のブザーの音量調節に使用させ、向かって左側にスライドさせた時には、次の時間設定に使用させるものとなっている。すなわち制御部５が風圧センサ７による監視を行ない、呼吸が停止したか否かを判定して、停止と判断した場合にはタイマー５１を作動させてここでは１５秒間と言う設定時間が経過したか否かを判定し、ここで経過したと判断した場合には振動発生部５２を作動させてバイブレータを振動させるようにするのであるが、ここでユーザーが覚醒せず、電源スイッチ８０がＯＦＦ状態にならない場合には、更に１５秒間待って、前記発音回路５６を作動させるようにするなど、時間設定兼音量調節ダイヤル８２を以てこの時間を設定可能としている。なお発音回路５６をブザーではなく、「無呼吸です起きて下さい！」などと録音された人の声としてもよい。【００２８】  第３実施形態
図７及び図８はこの発明の第３実施形態を表わし、この睡眠時無呼吸症の感知装置は、口に取り付けるマスクに組み込まれた、呼吸センシング手段と振動発生手段とを備えるものである。口に付ける防塵マスク７は合成樹脂製の略ドーム状の殻部７０の先頭部分に、後述する防塵防菌フィルタ８を挿着するための挿着口７１が開孔されていると共に、殻部７０の周縁部にクッション７２が取り付けられている。また殻部７０の周縁部にはゴムバンド７３が上下２ヵ所に輪状に取り付けられている。前記挿着口７１には防塵防菌フィルタ８が挿着されているが、この防塵防菌フィルタ８は通気部であり、この通気部に光センサ２１が設けられている。また殻部７０の周縁部の内で最も下となる部位には振動ボックス４６が設けられている。この振動ボックス４６内には図７の部分切欠側面図で表わされているように、モータ４７とこの回転軸に取り付けられた偏心重錘４８とが納められている。なお符号４９は図示しない時間設定スイッチの時間設定ダイヤルであり、時間設定スイッチは後述する制御部５に接続されている。【００２９】  前記防塵防菌フィルタ８に併設された光センサ２１は、図８で表わされているように、通気部に臨み呼気または吸気に晒されると共に支点２５から揺動可能に設けられた揺動板２４と、この揺動板２４に光路が掛かって揺動板２４の揺動により光路が断続的に遮られるように設けられたレーザーダイオードの発光部２２とフォトダイオードの受光部２３との対とから構成されている。挿着口７１には防塵防菌フィルタ８が挿着されておりここが通気部となっているため、呼吸気は必ず前記光センサ２１を通過することになる。この呼吸気の流れによって揺動板２４が揺動するため、この揺動運動を受光部２３に入る光の断続として感知することが出来るのである。【００３０】  なお図８で表わされているように、センサ回路５７には上述した光センサ２１がリード線にて配線されている。このセンサ回路５７はタイマ５１や振動発生部５２や記憶回路５５と共に制御部５に接続されており、またこの各々に付き電源部５３から電力が供給されている。また後々必要に応じて図示しない入出力回路部の入出力端子よりパーソナルコンピュータにデータを送り出すことが出来るようにするための記憶回路５５が設けられている。すなわちこの記憶回路５５には制御部５による各部の制御記録を残しておくことが出来、無呼吸に入った時間や持続時間や回復の時間などを後から検証することが可能である。【００３１】  さてこの防塵マスク７は、クッション７２の側を顔面に付けるようにして口と鼻の回りを覆い、上下２ヵ所に設けたゴムバンド７３を頭部に回すようにして、口に装着する。呼吸は防塵防菌フィルタ８の通気部を通して自然に行なわれる。また外気は防塵防菌フィルタ８を通して濾過されるため、睡眠中に塵や細菌等が口や鼻から体内へ侵入する危険を事実上減らすことが出来る。クッション７２は防塵マスク７の顔面に対するフィット感を良くするが、万が一枕などで通気部が塞がれるようなことがあった場合でも、クッション７２の部分から通気するように構成することが望まれる。さて制御部５が光センサ２１による監視を行ない、呼吸が停止したか否かを判定して、停止と判断した場合にはタイマー５１を作動させてここでは１０秒間と言う設定時間（上記時間設定スイッチを用いての設定による）が経過したか否かを判定して、ここで経過したと判断した場合には振動発生部５２を作動させてバイブレータを振動させるようにする。この振動は顎の辺りで発生して頭骨に強く響く。しかしながらここでユーザーが覚醒せず図示しない電源スイッチがＯＦＦ状態にされない場合には、制御部５は振動発生部５２に対する電源部５３からの電力供給を増大させ前記モータ４７の回転数を増加させて、バイブレータの振動をより激しいものとするようになっている。なお更に上述した第２実施形態のように発音回路５６を設けるようにしてもよい。或いは発音回路５６ではなく発光回路と殻部７０のＬＥＤ発光器とを組み合わせるようにすることも可能である。
【産業上の利用可能性】
【００３２】  この発明の呼吸センシング手段に関して、どのようなセンサを用いるかは任意設計事項であり、また温度センサと湿度センサとの組み合わせなどのように複数の異なる種類のセンサを組み合わせて使用することが出来る。また鼻の穴付近に取り付ける呼吸センシング手段と、口の前に取り付ける呼吸センシング手段とを併用することも可能であり、この場合には鼻詰りなどに対処することが出来る。また呼吸の質そのものを分析するために必要な回路とマイクとを利用することも可能である。【００３３】  またこの発明では振動発生手段以外の覚醒手段を採用することも可能である。例えばアイマスクを併用し、アイマスク内に電球を仕掛けておき、無呼吸の場合にこの電球を発光させて睡眠中のユーザーを覚醒させることが出来るように構成するのである。更になかなか覚醒しないような場合には、この電球を点滅させるなどの設定を可能にすることも好ましい。なおタイマを備えているものではこの発明を目覚まし時計として構成することなども可能である。
【図面の簡単な説明】
【００３４】
【図１】  第１実施形態の斜視図である。
【図２】  同実施形態のセンサ部分の断面模式図である。
【図３】  同実施形態のブロック図である。
【図４】  同実施形態の動作フローチャートである。
【図５】  第２実施形態の斜視図である。
【図６】  同実施形態のブロック図である。
【図７】  第３実施形態の部分切欠側面図である。
【図８】  同実施形態のブロック図である。
【符号の説明】
【００３５】１    鼻下バンド
１０  溝部
１１  耳掛け部
１２  耳孔
１３  通し孔
２    湿度センサ
２０  風圧センサ
２１  光センサ
２２  発光部
２３  受光部
２４  揺動板
２５  支点
３    顎当てバンド
３０  顎当てバンド
４    振動ボックス
４０  電源スイッチ
４１  振動ボックス
４２  電源スイッチ
４３  モード切替えスイッチ
４４  時間設定兼音量調節ダイヤル
４５  ブザー音孔
４６  振動ボックス
４７  モータ
４８  偏心重錘
４９  時間設定ダイヤル
５    制御部
５０  センサ回路
５１  タイマ
５２  振動発生部
５３  電源部
５４  センサ回路
５５  記憶回路
５６  発音回路
５７  センサ回路
６    口前ベルト
６０  通気孔
６１  耳掛け部
６２  耳孔
６３  通し孔
７    防塵マスク
７０  殻部
７１  挿着口
７２  クッション
７３  ゴムバンド
８    防塵防菌フィルタ
【図１】
2005349167.tif 000003
【図２】
2005349167.tif 000004
【図３】
2005349167.tif 000005
【図４】
2005349167.tif 000006
【図５】
2005349167.tif 000007
【図６】
2005349167.tif 000008
【図７】
2005349167.tif 000009
【図８】
2005349167.tif 000010